(57)【要約】【課題】アナログ信号をデジタル信号に変換する信号変換装置において、ステップ状に変化するアナログ信号をデジタル信号に変換する際の誤差が極力小さくなるような構成を得る。【解決手段】信号変換装置（２２）は、連続して変化する原信号から得られたデジタル信号が、アナログ変換によって時間とともにステップ状に変化する信号波形に変換されたアナログ信号において、信号がステップ状に変化するタイミングを検出するタイミング検出部（３１）と、前記アナログ信号を所定のタイミングでデジタル信号として読み込む信号読込部（３２）と、前記アナログ信号の信号変化のタイミングと、前記所定のタイミングとのタイミング差を用いて、信号読込部（３２）によって読み込んだ信号が前記原信号と一致するような補正値を算出する演算部（３３）とを備える。【選択図】図２
2015177621.tif 000002
【特許請求の範囲】
【請求項１】
電力変換装置に入力される電気信号としてのアナログ信号をデジタル信号に変換する電力変換装置の信号変換装置であって、
連続して変化する原信号からサンプリングによって得られたデジタル信号が、アナログ変換によって、ステップ状に変化する信号波形に変換されたアナログ信号において、該アナログ信号がステップ状に変化するタイミングを検出するタイミング検出部と、
前記アナログ信号を所定のタイミングでデジタル信号として読み込む信号読込部と、
前記タイミング検出部によって検出された前記アナログ信号の信号変化のタイミングと、前記所定のタイミングとのタイミング差を用いて、前記信号読込部によって読み込んだ信号が前記原信号と一致するような補正値を算出するとともに、該補正値を用いて前記信号読込部によって読み込んだ信号を補正する演算部とを備える、電力変換装置の信号変換装置。
【請求項２】
請求項１に記載の電力変換装置の信号変換装置において、
前記演算部は、
前記アナログ信号を微分して該アナログ信号の傾きを求める傾き算出部と、
前記タイミング差を算出するタイミング差算出部と、
前記タイミング差算出部によって算出された前記タイミング差を、前記傾き算出部によって算出された前記アナログ信号の傾きと乗算して、前記補正値を求める補正値算出部とを有する、電力変換装置の信号変換装置。
【請求項３】
請求項２に記載の電力変換装置の信号変換装置において、
前記タイミング検出部は、
前記アナログ信号をフィルタ処理するフィルタ部と、
前記アナログ信号と前記フィルタ部によってフィルタ処理された信号との差分を求める差分抽出部とを有する、電力変換装置の信号変換装置。
【請求項４】
請求項１から３のいずれか一つに記載の電力変換装置の信号変換装置において、
供試インバータの負荷としての誘導電動機を模擬するように構成された電力変換装置の信号変換に用いられる、電力変換装置の信号変換装置。
【請求項５】
請求項４に記載の電力変換装置の信号変換装置において、
前記原信号は、前記誘導電動機の回転角度に関する信号である、電力変換装置の信号変換装置。
【発明の詳細な説明】
【技術分野】
【０００１】
本発明は、電力変換装置においてアナログ信号をデジタル信号に変換する信号変換装置に関する。
【背景技術】
【０００２】
従来より、電力変換装置においてアナログ信号をデジタル信号に変換する信号変換装置が知られている。このような電力変換装置の信号変換装置では、例えば特許文献１に開示されるように、電力変換装置で検出されたアナログ信号をデジタル信号に変換する。特許文献１に開示される構成では、電力変換装置でアナログ信号から変換されたデジタル信号は、制御装置に入力される。
【０００３】
なお、電力変換装置の一例として、例えば特許文献２に開示されるように、供試インバータに対して電気的に接続され、該供試インバータを試験する際に電動機を模擬するインバータ負荷装置が知られている。このインバータ負荷装置は、供試インバータが電動機を駆動している場合と同様の動作を行うように、該電動機を模擬する。
【先行技術文献】
【特許文献】
【０００４】
【特許文献１】特開２００５−３３９９７号公報
【特許文献２】特開２０１１−１０１５４８号公報
【発明の概要】
【発明が解決しようとする課題】
【０００５】
ところで、上述のようなインバータ負荷装置では、該インバータ負荷装置が供試インバータに対して電動機として動作するように、該供試インバータとの間で信号の送受信を行う。特に、インバータ負荷装置が誘導電動機を模擬する場合には、誘導電動機の回転角度と供試インバータの出力の位相とが同期していないため、供試インバータからインバータ負荷装置に対して角度信号を送信する必要がある。
【０００６】
上述のような角度信号として、供試インバータ内の所定の角度信号のゼロクロスを検出して信号化したＺ相パルスを用いる方法が考えられる。しかしながら、Ｚ相パルスは、電動機が回転していない状態では出力されないため、インバータ負荷装置が電動機の停止状態を模擬している場合には、供試インバータの駆動とインバータ負荷装置の駆動とを同期させることができない。
【０００７】
これに対し、供試インバータとインバータ負荷装置との間の通信をアナログ信号によって行うことが考えられる。
【０００８】
しかしながら、近年の機器では、内部の信号処理にデジタル信号を用いた構成が一般的であるため、上述のように機器間で信号を授受する際にアナログ信号を用いた場合、該アナログ信号がステップ状に変化する。そのため、受信側の機器で、ステップ状に変化するアナログ信号からデジタル信号を読み込むと、元の信号に対して読み込んだ信号の誤差が大きくなる可能性がある。
【０００９】
すなわち、送信側では、デジタル信号をアナログ信号に変換した際に、ステップ状に変化するアナログ信号が生成される。受信側ではそのアナログ信号を所定のサンプリング周期でデジタル信号に変換する。そうすると、ステップ状に変化するアナログ信号をデジタル信号に変換した際に、サンプリング周期によっては元の信号との誤差が大きくなる場合がある。
【００１０】
このような誤差は、例えば、上述のように供試インバータからインバータ負荷装置にアナログ信号を送信して、該インバータ負荷装置でアナログ信号をデジタル信号に変換する際などに、特に大きくなる可能性がある。
【００１１】
本発明の目的は、電力変換装置においてアナログ信号をデジタル信号に変換する信号変換装置において、ステップ状に変化するアナログ信号をデジタル信号に変換する際に、原信号との誤差ができるだけ小さくなるような構成を得ることにある。
【課題を解決するための手段】
【００１２】
本発明の一実施形態に係る電力変換装置の信号変換装置は、電力変換装置に入力される電気信号としてのアナログ信号をデジタル信号に変換する電力変換装置の信号変換装置である。電力変換装置の信号変換装置は、連続して変化する原信号からサンプリングによって得られたデジタル信号が、アナログ変換によって、時間とともにステップ状に変化する信号波形に変換されたアナログ信号において、該アナログ信号がステップ状に変化するタイミングを検出するタイミング検出部と、前記アナログ信号を所定のタイミングでデジタル信号として読み込む信号読込部と、前記タイミング検出部によって検出された前記アナログ信号の信号変化のタイミングと、前記所定のタイミングとのタイミング差を用いて、前記信号読込部によって読み込んだ信号が前記原信号と一致するような補正値を算出するとともに、該補正値を用いて前記信号読込部によって読み込んだ信号を補正する演算部とを備える（第１の構成）。
【００１３】
以上の構成により、電力変換装置に入力されるステップ状のアナログ信号をデジタル信号として読み込む場合に、信号の誤差を極力小さくすることができる。すなわち、ステップ状に変化するアナログ信号を読み込むタイミングと、該アナログ信号が信号変化するタイミングとのタイミング差を用いて、原信号と一致するような補正値を算出することにより、該原信号に対して誤差の少ない信号を求めることが可能になる。
【００１４】
したがって、ステップ状に変化するアナログ信号をデジタル信号に変換する際に、原信号に対して誤差を極力小さくすることができる。これにより、アナログ信号を用いてデジタル制御の機器間で信号の授受を行った場合でも、それらの機器をより精度良く制御することが可能になる。
【００１５】
ここで、原信号とは、デジタル信号を所定のサンプリング周期で取得する際の元の信号を意味し、検出器等によってアナログ信号として検出された信号であってもよいし、信号取得前の特性値そのものであってもよい。
【００１６】
前記第１の構成において、前記演算部は、前記アナログ信号を微分して該アナログ信号の傾きを求める傾き算出部と、前記アナログ信号の変化のタイミングと前記所定のタイミングとのタイミング差を算出するタイミング差算出部と、前記タイミング差算出部によって算出された前記タイミング差を、前記傾き算出部によって算出された前記アナログ信号の傾きと乗算して、前記補正値を求める補正値算出部とを有する（第２の構成）。
【００１７】
これにより、アナログ信号を用いて補正値を求めることができる。したがって、第１の構成を容易に実現することができる。
【００１８】
前記第２の構成において、前記タイミング検出部は、前記アナログ信号をフィルタ処理するフィルタ部と、前記アナログ信号と前記フィルタ部によってフィルタ処理された信号との差分を求める差分抽出部とを有する（第３の構成）。
【００１９】
これにより、アナログ信号がステップ状に変化するタイミングを容易に検出することができる。すなわち、フィルタ処理によって、ステップ状に変化するアナログ信号の立ち上がり（または立ち下り）を変化させることができる。フィルタ処理していない信号とフィルタ処理した信号との差分を求めることにより、アナログ信号の変化のタイミングを精度良く検出することができる。よって、アナログ信号の変化のタイミングとデジタル信号として読み込む際の所定のタイミングとのタイミング差を容易に算出することが可能になる。
【００２０】
前記第１から第３の構成のうちいずれか一つの構成において、電力変換装置の信号変換装置は、供試インバータの負荷としての誘導電動機を模擬するように構成された電力変換装置の信号変換に用いられる（第４の構成）。
【００２１】
このように、供試インバータの負荷としての誘導電動機を電力変換装置によって模擬する場合、誘導電動機（電力変換装置）から出力される回転角度と供試インバータにおいて二相変換に用いる角度とが同期していない。そのため、誘導電動機を模擬する電力変換装置と供試インバータとを同期させる場合には、該供試インバータから電力変換装置に対して角度信号を出力する必要がある。
【００２２】
ところで、角度信号として、Ｚ相パルスを用いる方法も考えられるが、このＺ相パルスは電動機が回転していない状態では信号出力されない。よって、供試インバータと電力変換装置との間でアナログ信号の授受を行う方法が考えられる。しかしながら、供試インバータ及び電力変換装置は、内部ではデジタル信号によって処理を行う。そのため、デジタル処理後のアナログ変換によって得られるステップ状のアナログ信号からデジタル信号を読み込むことになる。そうすると、読み込んだデジタル信号と実際の角度信号との差が大きくなる。このような構成において、上述の第１から第３の構成を適用することにより、実際の角度信号に対して誤差が極力小さいデジタル信号を得ることができる。
【００２３】
前記第４の構成において、前記原信号は、前記誘導電動機の回転角度に関する信号である（第５の構成）。誘導電動機の回転角度は、時間とともに直線状に変化する。このような回転角度をデジタル信号として読み込んだ後、アナログ変換することにより得たステップ状のアナログ信号に対し、上述の第１の構成のように演算部によって補正値を求めることにより、実際の角度信号に近い信号が得られる。
【発明の効果】
【００２４】
本発明の一実施形態に係る電力変換装置の信号変換装置によれば、ステップ状に変化するアナログ信号の信号変化のタイミングと、アナログ信号からデジタル信号を読み込むタイミングとのタイミング差を用いて、読みこんだデジタル信号が原信号と一致するような補正値を求める。これにより、ステップ状に変化するアナログ信号をデジタル信号に変換する際に、原信号との誤差が極力小さくなるような構成が得られる。
【図面の簡単な説明】
【００２５】
【図１】図１は、本発明の一実施形態に係る評価試験装置の全体構成を示すブロック図である。
【図２】図２は、信号変換装置の概略構成を示すブロック図である。
【図３】図３は、信号変換装置に入力されるアナログ信号、及び該信号変換装置内の各信号の波形を示す図である。
【図４】図４は、補正値ΔＴ・ｗによって、アナログ信号Ｖｉｎから読み込むデジタル信号を補正する計算を、模式的に示す図である。
【発明を実施するための形態】
【００２６】
以下、図面を参照し、本発明の実施の形態を詳しく説明する。図中の同一または相当部分については同一の符号を付してその説明は繰り返さない。
【００２７】
（全体構成）
図１は、本発明の実施形態に係る評価試験装置１の概略構成を示す図である。この評価試験装置１は、供試インバータ２（図１において供試ＩＮＶ）の駆動を評価するための装置である。詳しくは、評価試験装置１は、供試インバータ２によって駆動制御される電動機及びその負荷を模擬しており、供試インバータ２の出力が電動機の駆動時と同等になるように構成されている。このような評価試験装置１を用いることにより、供試インバータ２に電動機の実機を接続して試験を行うことなく、評価試験装置１によって供試インバータ２の駆動を試験することができる。
【００２８】
供試インバータ２には、図示しない制御装置からトルク指令が入力される。供試インバータ２は、入力されたトルク指令に応じて、評価試験装置１に出力する電流を制御する。
【００２９】
評価試験装置１は、供試インバータ２に対して誘導電動機と同様の負荷を与えるインバータ負荷装置１１（電力変換装置、図１においてＩＮＶ負荷装置）と、供試インバータ２とインバータ負荷装置１１とを繋ぐ電気経路上に位置するリアクトル１２とを備える。インバータ負荷装置１１には、図示しない制御装置から回転数指令が入力される。インバータ負荷装置１１は、入力された回転数指令と入力された電流の値とから電動機の電圧方程式により電圧指令値を計算し、供試体インバータ２の出力電圧が前記電圧指令値になるように出力の制御を行う。また、インバータ負荷装置１１は、入力された回転数指令に応じて、電動機の回転検出器の出力を模擬した信号を出力する。
【００３０】
インバータ負荷装置１１は、供試インバータ２によって実機の誘導電動機を駆動した場合と同様、モータ電圧を供試インバータ２に出力するように構成されている。また、インバータ負荷装置１１は、供試インバータ２によって駆動される実機の誘導電動機と同様、回転角度の信号を出力するように構成されている。
【００３１】
なお、本実施形態のインバータ負荷装置１１は、供試インバータ２によって駆動される誘導電動機（ＩＭ）を模擬可能なように構成されている。誘導電動機の場合、同期電動機とは異なり、誘導電動機から出力される回転角度とインバータにおいて二相変換に用いる回転角度（以下、主回路電気角度という）とが同期していない。そのため、インバータ負荷装置１１は、誘導電動機を正確に模擬した回転角度の信号を出力するために、供試インバータ２から主回路電気角度の信号を受信する必要がある。
【００３２】
ところで、供試インバータ２からインバータ負荷装置１１に主回路電気角度の信号（原信号）を送信する場合、信号のゼロクロスを検出することにより得られるＺ相パルスを用いる方法が考えられる。しかしながら、このＺ相パルスは、電動機が回転している場合にのみ出力されるため、インバータ負荷装置１１が停止状態の電動機を模擬している場合には、供試インバータの駆動とインバータ負荷装置の駆動とを同期させることができない。これに対して、供試インバータ２からインバータ負荷装置１１に主回路電気角度の信号をアナログ信号によって送信することが考えられる。
【００３３】
本実施形態では、供試インバータ２の内部ではデジタル信号によって信号処理が行われる一方、供試インバータ２がインバータ負荷装置１１に信号を出力する際には、デジタル信号をアナログ変換した後、アナログ信号を出力する。そのため、供試インバータ２からインバータ負荷装置１１に出力されるアナログ信号は、時間とともにステップ状に変化する信号となる。
【００３４】
このようなステップ状に変化するアナログ信号が、主回路電気角度の信号として、供試インバータ２からインバータ負荷装置１１に出力されると、インバータ負荷装置１１では、アナログ信号から信号を読み取るタイミングによって、信号の誤差が大きくなる場合がある。すなわち、上述のような構成では、供試インバータ２とインバータ負荷装置１１との間で信号を授受する際の誤差が大きくなり、供試インバータ２及びインバータ負荷装置１１の同期がずれる可能性がある。
【００３５】
これに対し、本実施形態のインバータ負荷装置１１は、アナログ信号からデジタル信号を読み込む際に、原信号に近くなるように信号を補正する。具体的には、インバータ負荷装置１１は、制御部２１と、信号変換装置２２とを有する。制御部２１は、供試インバータ２に接続された誘導電動機を模擬するように、該供試インバータ２の出力電圧に対して所定の出力信号を生成する。信号変換装置２２は、供試インバータ２から出力された主回路電気角度のアナログ信号を所定のデジタル信号に変換する。
【００３６】
信号変換装置２２は、供試インバータ２から出力されたステップ状に変化するアナログ信号から、実際の主回路電気角度により近いデジタル信号を求める。上述のように、インバータ負荷装置１１が誘導電動機の停止状態を模擬している場合でも供試インバータ２とインバータ負荷装置１１とを同期させるためには、該供試インバータ２とインバータ負荷装置１１との間でアナログ信号を授受するのが好ましい。この場合には、供試インバータ２からインバータ負荷装置１１に出力される主回路電気角度の信号はステップ状に変化するアナログ信号となる。信号変換装置２２は、このアナログ信号から、元の主回路電気角度に近い信号を精度良く求めることができる。
【００３７】
詳しくは、信号変換装置２２は、入力されるステップ状のアナログ信号の立ち上がり位置及び立ち下がり位置を検出するとともに、それらの検出位置と、該アナログ信号をデジタル信号として読み込むタイミングとのタイミング差を用いて、アナログ信号から読み込んだデジタル信号を補正する。
【００３８】
具体的には、信号変換装置２２は、タイミング検出部３１と、信号読込部３２と、演算部３３と、基準クロック出力部３４とを備える。タイミング検出部３１は、信号変換装置２２に入力されるアナログ信号Ｖｉｎの立ち上がり位置及び立ち下がり位置、すなわちアナログ信号Ｖｉｎの変化のタイミングを検出する。
【００３９】
タイミング検出部３１は、遅延回路４１（フィルタ部）と、差分抽出回路４２（差分抽出部）と、波形整形回路４３とを備える。
【００４０】
遅延回路４１は、信号変換装置２２に入力されるアナログ信号Ｖｉｎの変化をフィルタ処理によって遅らせたアナログ信号Ｖｉｎ_ｄを生成する。差分抽出回路４２は、信号変換装置２２に入力されたアナログ信号Ｖｉｎと、遅延回路４１によって生成されたアナログ信号Ｖｉｎ_ｄとの信号差Ｖｓを求める。具体的には、差分抽出回路４２は、信号変換装置２２に入力されたアナログ信号Ｖｉｎから遅延回路４１によって生成されたアナログ信号Ｖｉｎ_ｄを減算する。波形整形回路４３は、差分抽出回路４２によって求められた信号差Ｖｓの信号を矩形波に整形する。
【００４１】
上述のような構成を有するタイミング検出部３１によって、信号変換装置２２に入力されたアナログ信号Ｖｉｎの信号変化のタイミングを矩形波として出力することができる（図３のＶｐ参照）。
【００４２】
信号読込部３２は、アナログ信号Ｖｉｎからデジタル信号を所定のタイミングで読み込む。具体的には、信号読込部３２は、基準クロック出力部３４から出力される基準クロックの信号に基づいて演算部３３から出力される変換開始信号ｃｏｎｖｓｔに対応して、アナログ信号Ｖｉｎからデジタル信号を読み込む。信号読込部３２は、アナログ信号をデジタル信号に変換するＡ／Ｄコンバータによって構成されている。なお、変換開始信号ｃｏｎｖｓｔは、一定間隔で出力される矩形状の信号である（図３参照）。
【００４３】
演算部３３は、タイミング検出部３１で検出したアナログ信号Ｖｉｎの変化のタイミングと、信号読込部３２でアナログ信号Ｖｉｎからデジタル信号を読み込むタイミングとのタイミング差ΔＴを求めるとともに、そのタイミング差ΔＴを用いてデジタル信号の補正値を計算する。また、演算部３３は、算出した補正値を用いて、デジタル信号を補正することにより、角度信号を得る。
【００４４】
詳しくは、演算部３３は、タイミング差算出部５１と、角速度算出部５２（傾き算出部）と、補正値算出部５３とを備える。
【００４５】
タイミング差算出部５１は、タイミング検出部３１で検出したアナログ信号Ｖｉｎの変化のタイミングと、信号読込部３２でアナログ信号Ｖｉｎからデジタル信号を読み込むタイミングとのタイミング差ΔＴを求める。タイミング差算出部５１は、例えば、タイミング検出部３１によって検出されたアナログ信号Ｖｉｎの信号変化のタイミングから、信号読み込み部３２によってアナログ信号Ｖｉｎからデジタル信号を読み込むタイミングまでの時間を求める。
【００４６】
角速度算出部５２は、アナログ信号Ｖｉｎの時間変化を求める（微分する）ことにより、角速度ｗ（傾き）を求める。補正値算出部５３は、タイミング差算出部５１によって算出されたタイミング差ΔＴに、角速度算出部５２によって算出された角速度ｗを乗算することにより、角度信号の補正値ΔＴ・ｗを得る。演算部３３は、補正地算出部５３によって得た補正値ΔＴ・ｗをアナログ信号Ｖｉｎに加算して、補正後の角度信号を得る（図４参照）。
【００４７】
なお、角速度算出部５２は、所定の時間間隔で角速度ｗを算出する。また、補正値算出部５３は、角度信号の補正値ΔＴ・ｗを算出する場合、最後に計算した角速度を用いて補正値ΔＴ・ｗを求める。演算部４４は、角速度算出部５２によって算出した角速度ｗが所定値以下の場合には、補正値ΔＴ・ｗをアナログ信号Ｖｉｎに加算せずに、該アナログ信号Ｖｉｎをそのまま信号出力する。
【００４８】
図３に、上述のような構成を有する信号変換装置２２における各信号の波形例を示す。図３において、Ｖｉｎは、信号変換装置２２に入力されるアナログ信号の波形であり、Ｖｉｎ_ｄは、遅延回路４１から出力された信号の波形である。また、図３において、Ｖｓは、Ｖｉｎ_ｄからＶｉｎを減算した場合の差を示す信号波形であり、Ｖｐは、Ｖｓを矩形状の波形に整形した信号波形である。さらに、図３において、ｃｏｎｖｓｔは、基準クロック出力部３４から出力された基準クロックの信号に基づいて演算部３３から出力された変換開始信号である。
【００４９】
図３は、供試インバータ２の主回路電気角度が鋸歯状に変化する場合（Ｖｉｎの波形において破線で示す）における各信号の波形を示す。主回路電気角度が鋸歯状に変化する場合、供試インバータ２では、デジタル信号として読み込んでアナログ信号に変換することにより、図３にＶｉｎで示すステップ状のアナログ信号となる。
【００５０】
Ｖｉｎが信号変換装置２２に入力されると、遅延回路４１によって、アナログ信号Ｖｉｎに対して信号変化の遅れを有するＶｉｎ_ｄの信号が生成される。そして、差分抽出回路４２によって、ＶｉｎとＶｉｎ_ｄとの信号差Ｖｓが求められる。この信号差Ｖｓは、アナログ信号Ｖｉｎの信号変化のタイミングを示す信号である。信号差Ｖｓは、波形整形回路４３によって、矩形状の波形を有するＶｐの信号に変換される。
【００５１】
タイミング差算出部５１は、Ｖｐの信号の立ち上がりのタイミングと、変換開始信号ｃｏｎｖｓｔの信号の立ち上がりのタイミングとのタイミング差ΔＴを求める。補正値算出部５３は、タイミング差ΔＴと角速度算出部５２によって算出された角速度ｗとを乗算することにより、補正値ΔＴ・ｗを求める。演算部３３は、図４に示すように、補正値ΔＴ・ｗをアナログ信号Ｖｉｎに加算することにより、元の主回路電気角度（図４における破線）により近い角度信号を得る。
【００５２】
以上の構成により、信号変換装置２２は、信号変換装置２２に入力されるステップ状のアナログ信号Ｖｉｎに基づいて、供試インバータ２内の主回路電気角度を精度良く求めることができる。すなわち、信号変換装置２２によって、インバータ負荷装置１１に供試インバータ２の主回路電気角度を精度良く読み込むことができる。したがって、本実施形態の信号変換装置２２を用いることにより、供試インバータ２とインバータ負荷装置１１とを精度良く同期させることができる。
【００５３】
しかも、供試インバータ２とインバータ負荷装置１１との間ではアナログ信号を用いて信号の授受を行うため、インバータ負荷装置１１が誘導電動機の停止状態を模擬している場合でも、供試インバータ２とインバータ負荷装置１１とを同期させることが可能になる。
【００５４】
したがって、上述のような構成を有する信号変換装置２２を用いることにより、インバータ負荷装置１が誘導電動機を模擬する場合でも、該インバータ負荷装置１と供試インバータ２とを精度良く同期させることができる。
【００５５】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００５６】
前記実施形態では、信号変換装置２２を供試インバータ２の評価試を行うための評価試験装置１に用いている。しかしながら、アナログ信号で信号の授受を行うとともに、機器内部ではデジタル信号で処理を行う装置に、信号変換装置２２を設けてもよい。すなわち、ステップ状のアナログ信号をデジタル信号に変換する場合に、本実施形態のような信号変換装置２２を用いるのが好ましい。
【００５７】
前記実施形態では、タイミング検出部３１は、遅延回路４１によってアナログ信号Ｖｉｎから信号Ｖｉｎ_ｄを生成し、信号Ｖｉｎと信号Ｖｉｎ_ｄとの信号差Ｖｓを求めることにより、アナログ信号Ｖｉｎの信号変化のタイミングを信号化している。しかしながら、アナログ信号Ｖｉｎにおける信号変化を検出可能な構成であれば、タイミング検出部はどのような構成であってもよい。
【００５８】
前記実施形態では、ステップ状に変化するアナログ信号の一例として、主回路電気角度の信号を挙げている。しかしながら、連続して変化する信号であれば、主回路電気角度以外の信号であってもよい。
【００５９】
前記実施形態では、供試インバータ２を試験するインバータ負荷装置１１に信号変換装置２２が設けられている。しかしながら、機器同士でステップ状のアナログ信号を授受し且つ受信側でデジタル信号として読み込む構成であれば、どのような構成に信号変換装置を設けても良い。
【産業上の利用可能性】
【００６０】
本発明は、ステップ状に変化するアナログ信号からデジタル信号を取得する場合の信号変換装置に利用可能である。
【符号の説明】
【００６１】
２  供試インバータ 
１１  インバータ負荷装置（電力変換装置）
２２  信号変換装置
３１  タイミング検出部
３２  信号読込部
３３  演算部
４１  遅延回路（フィルタ部）
４２  差分抽出回路（差分抽出部）
５１  タイミング差算出部
５２  角速度算出部（傾き算出部）
５３  補正値算出部
【図１】
2015177621.tif 000003
【図２】
2015177621.tif 000004
【図３】
2015177621.tif 000005
【図４】
2015177621.tif 000006